(57)【要約】【課題】移動体電話端末から出力されるデータを携帯情報端末などの情報端末に送信して、情報端末で移動体電話端末の状態を把握できるようにする場合において、システム全体の消費電力を抑制することができる無線通信装置および端末システムを提供すること。【解決手段】ＰＤＣ１０から出力されるデータをＰＤＣ側ユニット２０によりＰＤＡ側ユニット３０に送信するとき、ＰＤＣ側ユニット２０は、ＰＤＣ１０からのデータを取捨選択してＰＤＡ側ユニット３０に送信する。【選択図】　　　図１
2004015560.tif 000002
【特許請求の範囲】
【請求項１】
移動体電話端末に接続され、この移動体電話端末から出力されたデータを他の情報端末に送信する無線通信装置であって、
前記移動体電話端末から出力されたデータの内容を判断して、データを取捨選択して送信する手段を有することを特徴とする無線通信装置。
【請求項２】
移動体電話端末と、この移動体電話端末に接続され、この移動体電話端末から出力されたデータの内容を判断して、データを取捨選択して送信する移動体電話端末側無線通信装置と、この移動体電話端末側無線通信装置から送信されたデータを受信する情報端末側無線通信装置と、この情報端末側無線通信装置が接続され、この情報端末側無線通信装置で受信されたデータが供給されることにより、前記移動体電話端末の状態を表示部に表示する情報端末とを具備することを特徴とする端末システム。
【発明の詳細な説明】
【０００１】
【発明の属する技術分野】
本発明は、無線通信装置および端末システムに関する。
【０００２】
【従来の技術】
外出先などから電話をかけるために移動体電話端末が多数の人々に利用されている。また、スケジュール管理、住所録管理、文章入力などを行うために携帯情報端末（ＰＤＡ：Ｐｅｒｓｏｎａｌ　Ｄｉｇｉｔａｌ　Ａｓｓｉｓｔａｎｔ）が数多くの人々に利用されている。これらの携帯情報端末および移動体電話端末は別々に使用されるのが一般的であるが、携帯情報端末を移動体電話端末にコードで接続して、あるいは赤外線通信で接続して、携帯情報端末で入力したメールを移動体電話端末の通信機能を利用して友人などに送信することなども行われている。
【０００３】
【発明が解決しようとする課題】
ところで、携帯情報端末を使用中に、鞄内など、手元から離れた場所に置かれた移動体電話端末の状態を把握したい場合があり、その場合は、移動体電話端末から出力されるデータを携帯情報端末に送って、移動体電話端末の状態を携帯情報端末の表示部に表示させるようにシステムを組むことにより要望を実現可能であるが、その場合のシステムの各機器は電池で動作するので消費電力を抑制できることが望まれる。
【０００４】
本発明は上記の点に鑑みなされたもので、移動体電話端末から出力されるデータを携帯情報端末などの情報端末に送信して、情報端末で移動体電話端末の状態を把握できるようにする場合において、システム全体の消費電力を抑制することができる無線通信装置および端末システムを提供することを目的とする。
【０００５】
【課題を解決するための手段】
本発明の無線通信装置は、移動体電話端末に接続され、この移動体電話端末から出力されたデータを他の情報端末に送信する無線通信装置であって、前記移動体電話端末から出力されたデータの内容を判断して、データを取捨選択して送信する手段を有することを特徴とする。
【０００６】
また、本発明の端末システムは、移動体電話端末と、この移動体電話端末に接続され、この移動体電話端末から出力されたデータの内容を判断して、データを取捨選択して送信する移動体電話端末側無線通信装置と、この移動体電話端末側無線通信装置から送信されたデータを受信する情報端末側無線通信装置と、この情報端末側無線通信装置が接続され、この情報端末側無線通信装置で受信されたデータが供給されることにより、前記移動体電話端末の状態を表示部に表示する情報端末とを具備することを特徴とする。
【０００７】
この端末システムにおいて、好ましい形態として、前記情報端末は、携帯情報端末（ＰＤＡ）である。
【０００８】
【発明の実施の形態】
次に添付図面を参照して本発明による無線通信装置および端末システムの実施の形態を詳細に説明する。図１は、本発明による無線通信装置の一実施形態を含む、本発明による端末システムの一実施形態を示す構成図である。この一実施形態の端末システムは、移動体電話端末の一つであるデジタル携帯電話端末（以下ＰＤＣ（Ｐｅｒｓｏｎａｌ　Ｄｉｇｉｔａｌ　Ｃｅｌｌｕｌａｒ）と言う）１０と、移動体電話端末側無線通信装置（以下ＰＤＣ側ユニットと言う）２０と、情報端末の一つである携帯情報端末（以下ＰＤＡ（Ｐｅｒｓｏｎａｌ　Ｄｉｇｉｔａｌ　Ａｓｓｉｓｔａｎｔ）と言う）４０と、情報端末側無線通信装置（以下ＰＤＡ側ユニットと言う）３０とからなる。
【０００９】
ＰＤＣ１０は、図示しない基地局を介して着呼側または発呼側と通信する。ＰＤＣ側ユニット２０は、ＰＤＣ１０と接続され、ＰＤＣ１０から出力されたデータをＰＤＡ側ユニット３０に送信する。この際、ＰＤＣ側ユニット２０は、後で詳述するように、ＰＤＣ１０から出力されたデータの内容を判断して、データを取捨選択してＰＤＡ側ユニット３０に送信する。ＰＤＡ側ユニット３０は、ＰＤＣ側ユニット２０から送信されたデータを受信する。ＰＤＡ４０は、スケジュール管理、住所録管理、文章入力などのＰＤＡ本来の機能を実行することができ、さらに、前記ＰＤＡ側ユニット３０が接続され、このＰＤＡ側ユニット３０から前記受信データが供給されることにより、ＰＤＣ１０の状態を表示部４０５に表示する。
【００１０】
ＰＤＣ１０の詳細構成図を図２に示す。ＰＤＣ１０は、アンテナ１０１に接続されて送受信動作を実施するＲＦ回路１０２と、送受信信号をデジタル信号処理するデジタル信号処理プロセッサ（ＤＳＰ）１０３と、このＤＳＰ１０３から出力された受話信号をＤ／Ａ変換するＤ／Ａコンバータ１０４と、このＤ／Ａコンバータ１０４の出力に接続され、Ｄ／Ａ変換された受話信号を再生する受話スピーカ１０５と、話者の音声を入力する送話マイク１０６と、この送話マイク１０６から入力された送話信号をＡ／Ｄ変換し前記ＤＳＰ１０３に出力するＡ／Ｄコンバータ１０７と、ＰＤＣ１０の全体を制御するＣＰＵ部１０８と、このＣＰＵ部１０８に接続され、プログラムや各種のデータを記憶するメモリ１０９およびＲＯＭ１１０と、同様にＣＰＵ部１０８に接続され、各種の情報を入力する操作キー１１１と、ＣＰＵ部１０８に表示部ドライバ１１２を介して接続され、各種の情報を表示するカラーＬＣＤよりなる表示部１１３と、ＣＰＵ部１０８に接続された外部機器接続用のコネクタ１１４とからなる。
【００１１】
ＰＤＣ側ユニット２０の詳細構成図を図３に示す。ＰＤＣ側ユニット２０は、ＰＤＣ１０の外部機器接続用コネクタ１１４に接続されるＰＤＣ接続コネクタ２０１と、このコネクタ２０１と接続され、ＰＤＣ側ユニット２０の全体を制御するＭＰＵ２０２と、このＭＰＵ２０２により制御され、ＰＤＡ側ユニット３０と半二重シリアル無線通信を実施する無線通信回路２０３とからなる。
【００１２】
ＰＤＡ側ユニット３０の詳細構成図を図４に示す。ＰＤＡ側ユニット３０は、ＰＤＣ側ユニット２０の無線通信回路２０３と半二重シリアル無線通信を実施する無線通信回路３０１と、この無線通信回路３０１を含むＰＤＡ側ユニット３０の全体を制御するＭＰＵ３０２と、このＭＰＵ３０２と接続されたデータ一時格納用のバッファ回路３０３と、このバッファ回路３０３と接続され、ＰＤＡ側ユニット３０をＰＤＡ４０と接続するためのＰＤＡ接続コネクタ３０４とから構成される。
【００１３】
ＰＤＡ４０の詳細構成図を図５に示す。ＰＤＡ４０は、該ＰＤＡ４０の全体を制御するＣＰＵ４０１と、このＣＰＵ４０１に接続され、プログラムや各種のデータを記憶するＲＯＭ４０２およびＲＡＭ４０３と、表示部インタフェース４０４を介してＣＰＵ４０１に接続され、各種の情報を表示するカラーＬＣＤからなる表示部４０５と、同様に入力部インタフェース４０６を介してＣＰＵ４０１に接続され、各種の情報を入力するタッチパネルおよびキーからなる入力部４０７と、ＣＰＵ４０１に接続され、例えばＰＤＡ側ユニット３０のＰＤＡ接続コネクタ３０４と接続されてＰＤＡ側ユニット３０をＰＤＡ４０に接続する外部機器接続用コネクタ４０８とからなる。
【００１４】
以上のような端末システムにおいて、ＰＤＣ１０の外部機器接続用コネクタ１１４からは、ＰＤＣ１０の動作状態に応じて、その動作状態を表すデジタルセルラーホン共通仕様書に準拠した下りシリアル信号データが出力される。この際、下りシリアル信号データは、図６（ａ）に示すようにスタートビット、偶数パリティ、ストップビットが付加されて調歩同期方式の下りシリアル信号としてＰＤＣ１０から出力される。ＰＤＣ１０から出力された下りシリアル信号データは、外部機器接続用コネクタ１１４にＰＤＣ接続コネクタ２０１を接続することによりＰＤＣ１０に接続されたＰＤＣ側ユニット２０に供給される。そして、ＰＤＣ側ユニット２０のＭＰＵ２０２の制御の下、ＰＤＣ側ユニット２０の無線通信回路２０３により、下りシリアル信号データは、図６（ｂ）に示す無線通信フォーマット（プリアンブル、ヘッダ、データ、テェックサムからなる）の形式に変換されてＰＤＣ側ユニット２０からＰＤＡ側ユニット３０に向けて送信される。
【００１５】
ＰＤＡ側ユニット３０は、送信された下りシリアル信号データを無線通信回路３０１で受信する。さらに、ＰＤＡ側ユニット３０は、ＰＤＡ４０の図示しないスロットに挿入されてＰＤＡ接続コネクタ３０４がＰＤＡ４０の外部機器接続用コネクタ４０８に接続されているので、受信したデータをＰＤＡ４０に供給する。これにより、ＰＤＡ４０は、ＰＤＣ側ユニット２０から送信されＰＤＡ側ユニット３０で受信されたデータを受けて、ＰＤＣ１０の状態を表示部４０５に表示する。これにより、ＰＤＣ１０を手元に置いておかなくても、ＰＤＡ４０の表示部４０５に表示される情報によりＰＤＣ１０の状態を知ることができる。図１では、ＰＤＡ４０の表示部４０５の上部部分に“着信中”と表示されて、ＰＤＣ１０が着信中であることが分かる。
【００１６】
このような動作において、ＰＤＣ１０からは、頻繁に下りシリアル信号データが出力される。したがって、ＰＤＣ側ユニット２０において全てのデータを送信していると通信時間が長くなり、かつ通信データ量が多くなる。これは、無線通信路の占有時間が長くなり、他の通信の妨害になったり、動作時間が長くなり、システム全体での消費電力が大きくなったりという害をもたらす。
【００１７】
そこで、上記端末システムでは、ＰＤＣ１０からＰＤＣ側ユニット２０に下りシリアル信号データが出力されると、出力された下りシリアル信号データの内容をＰＤＣ側ユニット２０のＭＰＵ２０２が判断し、さらにその判断結果からそのデータがＰＤＡ側ユニット３０に送信すべきデータか、送信不要なデータかを判断し、送信すべきデータならばＭＰＵ２０２から無線通信回路２０３にデータを送って、そのデータをＰＤＡ側ユニット３０に向けて送信する。すなわち、ＰＤＣ側ユニット２０は、ＰＤＣ１０から出力された下りシリアル信号データの内容を判断して、データを取捨選択してＰＤＡ側ユニット３０に送信する。
【００１８】
このとき、送信データの選択は、ＰＤＡ４０に実装される機能によっても異なるが、一般的には、そのデータにより表されるＰＤＣの状態をＰＤＡ４０の表示部４０５に表示させて使用者に知らせた方が良いか否かにより決定される。したがって、例えば「着信表示」や「発番号通知」「待受」などのデータは、それらの状態（それらの情報）が非常に重要で、それらの状態（情報）をＰＤＡ４０の表示部４０５に表示させて使用者に知らせた方が良いので、ＰＤＣ側ユニット２０からＰＤＡ側ユニット３０に向けて送信される。一方、「圏外表示」や「受信レベル」のデータは、それらの情報がさほど重要でなく、それらの情報（状態）をＰＤＡ４０の表示部４０５上で使用者に知らせる必要もないので、ＰＤＡ側ユニット３０へのデータの送信を中止する。
【００１９】
このようなデータの送信動作のフローチャートが図７に示される。すなわち、ＰＤＣ１０からＰＤＣ側ユニット２０に下りシリアル信号データが出力され、ＰＤＣ側ユニット２０のＭＰＵ２０２が“受信データあり”とステップＳ１で判断すると、ステップＳ２に進んで、そのデータが送信するデータか否かをＭＰＵ２０２が判断し、もし、データが送信しないデータである場合は、送信動作を実行せず、そのままステップＳ１の受信データ検出ステップに戻る。一方、ステップＳ２で、データが送信するデータであると判断されると、ステップＳ３に進んで送信動作を実行し、データをＰＤＡ側ユニット３０に向けて無線通信回路２０３により送信する。なお、データが送信するデータか否かの判断は、送信すべきデータの情報を予めＭＰＵ２０２内に記憶しておいて、その情報と受信データの内容とを比較することにより行うことができる。
【００２０】
そして、以上のような端末システムによれば、ＰＤＣ１０からのデータを取捨選択してＰＤＣ側ユニット２０からＰＤＡ側ユニット３０に送信するようにしたので、ＰＤＣ側ユニット２０とＰＤＡ側ユニット３０間、さらにはＰＤＡ側ユニット３０とＰＤＡ４０間の通信時間を短くすることができ、かつ通信データ量を少なくすることができ、その結果としてＰＤＣ側ユニット２０、ＰＤＡ側ユニット３０およびＰＤＡ４０の消費電力、すなわちシステム全体の消費電力を抑制することができる。また、ＰＤＣ側ユニット２０とＰＤＡ側ユニット３０間の無線通信時間を短くすることができれば、このような端末システムが複数組あって、それぞれが、他の端末システムの無線通信状態を監視しつつ時分割多重方式でＰＤＣ側ユニット２０とＰＤＡ側ユニット３０間の無線通信を行う場合に、それぞれの端末システムの回線専有時間が短くなり、他のシステムの無線通信に妨害を与えることがなくなるので、時分割多重による無線通信を良好に行うことができる。さらに、ＰＤＣ１０の状態をＰＤＡ４０の表示部４０５に表示させることにより、ＰＤＣ１０を手元に置いておかなくても、ＰＤＡ４０の表示部４０５に表示される情報によりＰＤＣ１０の状態を知ることができる。
【００２１】
なお、上記の実施の形態では、移動体電話端末がデジタル携帯電話端末（ＰＤＣ）であるが、ＰＨＳ端末であってもよい。さらに、移動体電話端末の状態を表示する情報端末が携帯情報端末（ＰＤＡ）であるが、同様にしてその他の情報端末、例えば電子辞書や電子手帳あるいは携帯型パソコンなどに移動体電話端末の状態を表示させることができる。
【００２２】
【発明の効果】
以上詳細に説明したように本発明の無線通信装置および端末システムによれば、システム全体の消費電力を抑制することができる。
【図面の簡単な説明】
【図１】本発明による端末システムの一実施の形態を示す構成図。
【図２】図１の端末システムで使用されるＰＤＣの詳細構成図。
【図３】図１の端末システムで使用されるＰＤＣ側ユニットの詳細構成図。
【図４】図１の端末システムで使用されるＰＤＡ側ユニットの詳細構成図。
【図５】図１の端末システムで使用されるＰＤＡの詳細構成図。
【図６】図１および図２のＰＤＣから出力される調歩同期方式下りシリアル信号のデータフォーマットおよび図１および図３のＰＤＣ側ユニットにおける無線通信フォーマットを示す図。
【図７】図１および図３のＰＤＣ側ユニットで実施される送信動作を示すフローチャート。
【符号の説明】
１０　ＰＤＣ
２０　ＰＤＣ側ユニット
３０　ＰＤＡ側ユニット
４０　ＰＤＡ
【図１】
2004015560.tif 000003
【図２】
2004015560.tif 000004
【図３】
2004015560.tif 000005
【図４】
2004015560.tif 000006
【図５】
2004015560.tif 000007
【図６】
2004015560.tif 000008
【図７】
2004015560.tif 000009